(57)【要約】【課題】郵便番号の記載領域などを直接利用できる宛先情報表示物を提供する。【解決手段】葉書ＰＣには、所定の切手配置位置に対応して切手画像ＫＴが形成（印刷）されるとともに、所定の郵便番号記載位置に対応して、郵便番号枠の画像を形成する剥離シールＲＭａが貼付されている。また、表示ＤＰａは、剥離シールＲＭａの最前面に位置する剥離紙ＰＭ１を剥離できる旨をあらわす文字列と剥離開始位置を指示する矢印とを内容とするものであって、葉書ＰＣの表面に記録（印刷）されている。剥離シールＲＭａの最上面の剥離紙ＰＭ１を剥がすことで、粘着剤ＧＬ１を露出でき、この粘着剤ＧＬ１を利用して葉書ＰＣを掲示場所に貼り付け、保管することができる。【選択図】        図１
0003177017.tif 000002
【実用新案登録請求の範囲】
【請求項１】
郵便物に貼付されて宛先情報を表示する宛先情報表示物であって、
宛先情報の表示領域に対応した平面形状を有する基材と、
前記基材の両面に積層される第１及び第２の粘着剤と、
前記第１及び第２の粘着剤をそれぞれ被覆する第１及び第２の剥離紙を備え、
前記第１の剥離紙を剥離して露出する前記第１の粘着剤によって前記郵便物に貼付されることを特徴とする宛先情報表示物。
【請求項２】
前記第２の剥離紙には、郵便番号を記入するための記入枠が形成されることを特徴とする請求項１に記載の宛先情報表示物。
【請求項３】
前記第２の剥離紙には、宛名書き内容を記入するための記入欄が設けられたことを特徴とする請求項１記載の宛先情報表示物。
【請求項４】
前記基材は透明材質からなり、
郵便物に記録された所定情報を隠蔽するように、その郵便物に貼付されることを特徴とする請求項１または２のいずれかに記載の宛先情報表示物。
【考案の詳細な説明】
【技術分野】
【０００１】
本考案は、郵便物に貼付されて宛先情報を表示する宛先情報表示物に関する。
【背景技術】
【０００２】
一般に、はがきや封書などの郵便物（紙葉類）には、それら郵便物の配達先の情報（宛先住所、あるいは、宛名情報など）を記載する必要がある。また、近年では、住所を表す７桁の郵便番号が広く用いられるようになってきており、この７桁の郵便番号を用いることで、例えば、配達先の情報を記載する際の手間を省くことができる。
【０００３】
また、この郵便番号を利用して郵便物を区分けする郵便物区分装置としては、例えば、特許文献１に開示されたもののように、郵便物に記載された宛名を認識できなかった場合、郵便番号の一致を判定する処理を通じて最適識別閾値を設定し、その最適識別閾値を用いて郵便物の読取情報から住所を新たに認識し、その判定処理により得た郵便番号および新たに認識した住所に基づき、その郵便物を区分けするようにしたものが提案されている。
【先行技術文献】
【特許文献】
【０００４】
【特許文献１】特開２０１１−０８８１２０号公報
【考案の概要】
【考案が解決しようとする課題】
【０００５】
このように、郵便番号は、それを読み取って得た読取情報を用いて最適識別閾値を設定するなどの応用に利用されることもあるが、その応用は、あくまでも郵便番号の記載内容に基づいたものであるので、郵便番号等の記載領域をさらに利用することが期待されている。
【０００６】
この考案は、かかる実情に鑑みてなされたものであり、郵便番号の記載領域などを直接利用できる宛先情報表示物を提供することにある。
【課題を解決するための手段】
【０００７】
この考案は、郵便物に貼付されて宛先情報を表示する宛先情報表示物であって、宛先情報の表示領域に対応した平面形状を有する基材と、前記基材の両面に積層される第１及び第２の粘着剤と、前記第１及び第２の粘着剤をそれぞれ被覆する第１及び第２の剥離紙を備え、前記第１の剥離紙を剥離して露出する前記第１の粘着剤によって前記郵便物に貼付されるものである。
【０００８】
また、前記第２の剥離紙に、郵便番号を記入するための記入枠を形成してもよい。
また、前記第２の剥離紙に、宛名書き内容を記入するための記入欄を形成してもよい。
また、前記基材を透明材質で形成し、郵便物に記録された所定情報を隠蔽するように、その郵便物に貼付するようにしてもよい。
【考案の効果】
【０００９】
以上のようなこの考案の宛先情報表示物によれば、第２の剥離紙を剥離して露出する第２の粘着剤により、ホワイトボード等の掲示場所に郵便物を貼り付けることで、郵便物の保存や掲示を容易に行うことができ、郵便番号等の宛先情報を記載する領域を有効に利用することができるという効果を得る。
【図面の簡単な説明】
【００１０】
【図１】図１（ａ）は、本考案の一実施例にかかる葉書ＰＣの一例を示した概略平面図、図１（ｂ）は、葉書ＰＣに貼付される剥離シールＲＭａの断面構造の一例を示す概略断面図、図１（ｃ）は、剥離シールＲＭａを構成する剥離紙ＰＭ１の断面構造の一例を示す概略断面図。
【図２】葉書ＰＣの剥離シールＲＭａの一番上の剥離紙ＰＭ１を剥がす様子を示した概略平面図。
【図３】葉書ＰＣの剥離シールＲＭａの一番上の剥離紙ＰＭ１を剥がして、粘着剤ＧＬ１が露出した様子を示した概略平面図。
【図４】葉書ＰＣを掲示場所ＷＢに貼り付けて保管している様子を示した概略図。
【図５】本考案の第１の変形例にかかる葉書ＰＣａの一例を示した概略平面図。
【図６】本考案の第２の変形例にかかる葉書ＰＣａの一例を示した概略平面図。
【考案を実施するための形態】
【００１１】
以下、添付図面を参照しながら、この考案の実施の形態を詳細に説明する。
＜第１実施形態＞
図１（ａ）は、本考案の一実施例にかかる葉書ＰＣの一例を示した概略平面図であり、同図（ｂ）は、葉書ＰＣに貼付される剥離シールＲＭａの断面構造の一例を示す概略断面図であり、同図（ｃ）は、剥離シールＲＭａを構成する剥離紙ＰＭ１の断面構造の一例を示す概略断面図である。
【００１２】
図１（ａ）において、葉書ＰＣには、所定の切手配置位置に対応して切手画像ＫＴが形成（印刷）されるとともに、所定の郵便番号記載位置に対応して、郵便番号枠の画像を形成する剥離シールＲＭａが貼付されている。また、表示ＤＰａは、剥離シールＲＭａの最前面に位置する剥離紙ＰＭ１（後述）を剥離できる旨をあらわす文字列と剥離開始位置を指示する矢印とを内容とするものであって、葉書ＰＣの表面に記録（印刷）されている。また、この表示ＤＰａは、葉書ＰＣに剥離シールＲＭａを貼り付ける際のガイドの役割も果たす（後述）。
さらに、この表示ＤＰａを、剥離紙ＰＭ１の剥離紙基材ＢＢ（後述）または剥離紙ＰＭ１が透明材質からなる場合には剥離シールＲＭａの基材ＢＰに印刷してもよい。また、剥離紙ＰＭ１の形状を葉書ＰＣの角部又は縁部に合わせた位置まで延在させることで（図示略）、葉書ＰＣに剥離シールＲＭａを貼り付ける際のガイド機能を、剥離シールＲＭａそのものに持たせるようにすることもできる。
【００１３】
同図（ｂ）において、剥離シールＲＭａは、基材ＢＰの両面に粘着剤ＧＬ１，ＧＬ２をそれぞれ塗布し、粘着剤ＧＬ１，ＧＬ２の表面に、粘着剤ＧＬ１，ＧＬ２を封止する剥離紙ＰＭ１，ＰＭ２を配置してなる。
【００１４】
また、剥離紙ＰＭ１は、同図（ｃ）に示すように、上質紙など、印刷及び筆記具による記入が可能な材質からなる剥離紙基材ＢＢに、粘着剤ＧＬ１からこの剥離紙ＰＭ１を剥離するための剥離層ＨＨを設けるとともに、剥離紙基材ＢＢと剥離層ＨＨとの間には、剥離層ＨＨの材料が剥離紙基材ＢＢに侵入することを阻止するための目止め層ＳＳを設けたものである。なお、剥離層ＨＨの材料によっては、目止め層ＳＳを設けなくて良い場合がある。
【００１５】
ここで、この場合、剥離シールＲＭａにおいて、郵便番号枠の画像が印刷されるとともに、その郵便番号枠に郵便番号を印刷または記入できる剥離紙ＰＭ１が位置する側の面を表面とし、その反対面、すなわち、剥離紙ＰＭ２が位置する側の面を裏面とする。
【００１６】
そして、葉書ＰＣに剥離シールＲＭａを貼り付ける際には、まず、剥離シールＲＭａの裏面の剥離紙ＰＭ２を剥離し、剥離シールＲＭａの裏面の粘着剤ＧＬ２を露出させる。次いで、葉書ＰＣに印刷された表示ＤＰａの記載位置を基準に、あるいは、剥離シールＲＭａの縁部又は角部を葉書ＰＣの縁部又は角部に合わせる（図示略）等して、剥離シールＲＭａを葉書ＰＣの貼り付け位置に位置合わせした状態で、剥離シールＲＭａの全面を葉書ＰＣに貼り付ける。
【００１７】
これにより、図１（ａ）に示すように、葉書ＰＣには、所定の郵便番号記載位置に対応して、郵便番号枠の画像を形成する剥離シールＲＭａが取り付けられるので、葉書ＰＣの所定位置に郵便番号枠が位置する。また、剥離シールＲＭａの表面の剥離紙ＰＭ１は、印刷または記入が可能な材質からなるので、葉書ＰＣの郵便番号枠に郵便番号を印刷あるいは記入することができる。
【００１８】
また、剥離シールＲＭａは、葉書ＰＣに全面が密着しているので、郵送可能な郵便物の条件を満たし、したがって、剥離シールＲＭａを貼り付けた状態で、葉書ＰＣを郵便ポストに投函して、郵送に引き渡すことができる。
【００１９】
このような葉書ＰＣを受け取ると、受取人は、まず、郵便物としてその葉書ＰＣの内容を読んだ後、表示ＤＰａの指示に従い、図２に示すように、剥離シールＲＭａの一番上の剥離紙ＰＭ１を剥がす。それにより、図３に示したように、剥離シールＲＭａの粘着剤ＧＬ１が、葉書ＰＣの表面に露出する。
【００２０】
次に、受取人は、例えば、図４に示したように、剥離シールＲＭａの粘着剤ＧＬ１が露出している葉書ＰＣを、ホワイトボード等の掲示場所ＷＢの適宜な位置に、剥離シールＲＭａの粘着剤ＧＬ１を利用して貼り付ける。
【００２１】
このようにして、掲示場所ＷＢに貼り付けられた葉書ＰＣは、宛先情報が記載された面とは反対側の面、すなわち、多くは連絡事項等が記載された文面が表面に規定された状態で、掲示場所ＷＢに掲示されることとなり、葉書ＰＣを掲示場所ＷＢに貼り付けた状態で保管することができ、必要な葉書ＰＣを散逸してしまうような不具合を回避することができる。また、それにより、受取人は、掲示場所ＷＢに貼り付けられた葉書ＰＣを必要に応じて見ることで、必要な情報を適宜に確認することができ、非常に便利である。
【００２２】
＜変形例＞
ところで、剥離シールＲＭａの剥離紙基材ＢＢを透明材質で構成することで、剥離紙ＰＭ１を剥がした剥離シールＲＭａを通して、それまで剥離シールＲＭａで隠されていた葉書ＰＣの内容を表示させることができる。
【００２３】
そこで、例えば、図５に示すように、剥離シールＲＭａが隠す葉書ＰＣａの領域に広告やくじの当選結果ＤＡを記録しておけば、葉書ＰＣａの受取人が剥離シールＲＭａの剥離紙ＰＭ１を剥がすことで、葉書ＰＣａの受取人は、広告やくじの当選結果ＤＡを見ることができ、受取人に対して広告を見せることができたり、あるいは、くじの配布手段として葉書ＰＣａを利用することができることとなる。
【００２４】
また、図６に示すように、葉書ＰＣｂの住所を記載する宛名記載領域に貼り付ける宛名タックＲＭｂとして、剥離シールＲＭａと同様の断面構造を備えたものを用いることもできる。この場合も、図１に示した実施例と同様に、受取人が葉書ＰＣｂの宛名タックＲＭｂの一番上の剥離紙を剥がすと、その下の粘着剤が露出し、その粘着剤を利用して、葉書ＰＭｂを掲示場所等に貼り付け、保管することができる。
【００２５】
また、図５に示した実施例と同様に、宛名タックＲＭｂの基材として透明材質のものを用い、宛名タックＲＭｂが隠す葉書ＰＣｂの領域に広告やくじの当選結果を記録すれば、葉書ＰＣｂの受取人が宛名タックＲＭｂの一番上の剥離紙を剥がすことで、受取人に広告を見せたり、くじの当選結果を通知することができる。その場合、図５に示した実施例の剥離シールＲＭａが隠す葉書ＰＣの領域に比べて、宛名タックＲＭｂが隠す葉書ＰＣｂの領域が広いので、広告内容をより詳細に記載できたり、あるいは、くじの当選結果をより効果的に提供することができることとなる。
【産業上の利用可能性】
【００２６】
本考案は、葉書以外の紙葉類の郵便物（例えば、往復葉書など）についても、同様に適用することができる。
【符号の説明】
【００２７】
ＢＢ  剥離紙基材
ＢＰ  基材
ＧＬ１，ＧＬ２  粘着剤
ＰＭ１，ＰＭ２  剥離紙
ＤＰａ  表示
ＫＴ  切手
ＰＣ，ＰＣａ，ＰＣｂ  葉書
ＲＭａ  剥離シール
ＷＢ  掲示場所
【図１】
0003177017.tif 000003
【図２】
0003177017.tif 000004
【図３】
0003177017.tif 000005
【図４】
0003177017.tif 000006
【図５】
0003177017.tif 000007
【図６】
0003177017.tif 000008